(57)【要約】  本発明は、少なくとも２つの支持セグメントを備えた、少なくとも１つのフェーシングエレメント用の分割型の支持エレメントに関する。本発明は、支持セグメントが、互いに直接結合されているのではなく、互いに間接的に結合されていることを特徴としている。
2019529837.tif 000002
【特許請求の範囲】
【請求項１】
少なくとも２つの支持セグメント（１，２；８１〜８６）を備えた、少なくとも１つのフェーシングエレメント（５〜１０）用の分割型の支持エレメント（８８）において、
前記支持セグメント（１，２；８１〜８６）が、互いに直接結合されているのではなく、互いに間接的に結合されていることを特徴とする、分割型の支持エレメント（８８）。
【請求項２】
前記支持セグメント（１，２；８１〜８６）が、ディスク支持体（９０）を介して互いに間接的に結合されていることを特徴とする、請求項１記載の分割型の支持エレメント。
【請求項３】
前記支持セグメント（１，２；８１〜８６）が、半径方向でも周方向でも前記ディスク支持体（９０）に対して位置固定されるように、該ディスク支持体（９０）に形状接続的に結合されていることを特徴とする、請求項２記載の分割型の支持エレメント。
【請求項４】
前記支持セグメント（１，２；８１〜８６）が、半径方向内側に／半径方向外側に、内側ディスク支持体（９０）／外側ディスク支持体の形状接続ジオメトリ（１００）に対して相補的である共通の形状接続ジオメトリ（１０１〜１０７；９８）を実現していることを特徴とする、請求項１から３までのいずれか１項記載の分割型の支持エレメント。
【請求項５】
前記形状接続ジオメトリ（１０１〜１０７；９８）が、互いに係合する歯列を有しており、該歯列が、支持セグメント（１，２；８１〜８６）ごとに少なくとも２つの歯において、前記互いに係合する歯列の共通のピッチ円上にアンダカットを有していることを特徴とする、請求項４記載の分割型の支持エレメント。
【請求項６】
前記支持エレメント（８８）の歯底円直径／歯先円直径が、歯ごとに少なくとも一箇所において、前記内側ディスク支持体（９０）／前記外側ディスク支持体の歯先円直径／歯底円直径よりも大きいことを特徴とする、請求項５記載の分割型の支持エレメント。
【請求項７】
前記支持セグメント（１，２；８１〜８６）が、それぞれ周方向に延在する少なくとも１つの波形部を有していることを特徴とする、請求項１から６までのいずれか１項記載の分割型の支持エレメント。
【請求項８】
前記支持セグメント（１，２；８１〜８６）が、互いに向かい合った突合せ縁部（１１１，１１２）に一次元のジオメトリを有していることを特徴とする、請求項１から７までのいずれか１項記載の分割型の支持エレメント。
【請求項９】
前記支持エレメント（８８）が、ほぼ円環ディスクの外形を有していることを特徴とする、請求項１から８までのいずれか１項記載の分割型の支持エレメント。
【請求項１０】
請求項１から９までのいずれか１項記載の分割型の支持エレメント（８８）を備えた摩擦フェーシングディスク、特に湿式摩擦フェーシングディスク。
【発明の詳細な説明】
【技術分野】
【０００１】
本発明は、少なくとも２つの支持セグメントを備えた、少なくとも１つのフェーシングエレメント用の分割型の支持エレメントに関する。
【背景技術】
【０００２】
独国特許出願公開第１０２０１３２１２１８５号明細書に基づき、少なくとも１つのフェーシングエレメント用、例えばディスク用の分割型の支持金属薄板が公知である。この公知の分割型の支持金属薄板は、互いに材料接続的に結合された少なくとも２つのセグメントを備えている。独国特許出願公開第１０２００７０５３７５８号明細書に基づき、ディスク用の分割型の支持金属薄板が公知である。この公知の分割型の支持金属薄板は少なくとも２つのセグメントから、これらのセグメントの間に境界線を形成しつつパズル状に形成されている。一方のセグメントは凸部を有している。この凸部は、他方のセグメントに設けられた凹部内に、凸部と凹部との間に境界線区分を形成しつつ挿入されている。凸部と凹部とは、隣り合ったセグメントが、周方向に関して境界線区分の少なくとも１つの第１および第２の部分区分において互いに背後に回り込み、第１の部分区分を周方向で半径方向線に向かって投影した像が、第２の部分区分を周方向で半径方向線に向かって投影した像に少なくとも部分的に重なるように成形されている。
【発明の概要】
【発明が解決しようとする課題】
【０００３】
本発明の課題は、廉価に製造可能であり、かつ／または長い寿命を有する、少なくとも２つの支持セグメントを備えた、少なくとも１つのフェーシングエレメント用の分割型の支持エレメントを提供することである。
【課題を解決するための手段】
【０００４】
この課題は、少なくとも２つの支持セグメントを備えた、少なくとも１つのフェーシングエレメント用の分割型の支持エレメントにおいて、支持セグメントが、互いに直接結合されているのではなく、互いに間接的に結合されていることによって解決される。支持エレメントは、例えば支持金属薄板として形成されている。支持エレメントまたは支持金属薄板は、例えば湿式のクラッチシステムにおいてフェーシングディスクまたは摩擦ディスク用のベースとして使用される。個々の支持セグメントの間の直接的な結合、例えば材料接続的または形状接続的な結合を省略することによって、著しく高い材料活用が可能になる。さらに、分割型の支持エレメントを、特に大量生産で製造することが簡略化される。個々の支持セグメントは、有利には、適切な金属薄板材料から打抜き加工によって製造される。さらに、支持セグメント同士の間の直接的な結合を省略することによって、特に有利には、分割型の支持エレメントについて構成部材の厚さをより大きくすることが可能になる。さらに、運転中の分割型の支持エレメントの長期安定性が向上する。互いに間接的に結合された支持セグメントを有する分割型の支持エレメントは、内側に歯列を備えた摩擦ディスクだけでなく、外側に歯列を備えた摩擦ディスクを実現するためにも適している。
【０００５】
分割型の支持エレメントの好適な実施例は、支持エレメントが、ディスク支持体を介して互いに間接的に結合されていることを特徴としている。ディスク支持体は、例えば内側ディスク支持体または外側ディスク支持体である。ディスク支持体を介して、支持セグメントを簡単に互いに安定した状態に結合することができる。ディスク支持体は、有利には、同じく金属薄板部材として形成されている。
【０００６】
分割型の支持エレメントの更なる好適な実施例は、支持セグメントが、半径方向でも周方向でもディスク支持体に対して位置固定されるように、このディスク支持体に形状接続的に結合されていることを特徴としている。これによって、運転中に支持セグメントが望ましくない形で互いに動いてしまうことが簡単に阻止される。
【０００７】
分割型の支持エレメントの更なる好適な実施例は、支持セグメントが、半径方向内側に／半径方向外側に、内側ディスク支持体／外側ディスク支持体の形状接続ジオメトリに対して相補的である共通の形状接続ジオメトリを実現していることを特徴としている。支持セグメントの共通の形状接続ジオメトリは、有利には歯列として形成されている。この歯列の個々の歯は、支持セグメントが、半径方向でも周方向でもディスク支持体に対して位置固定されるように形成されている。「半径方向」という概念は、支持セグメントを備えた分割型の支持エレメントが運転中に回転する基準となる回転軸線に関連している。半径方向とは、回転軸線に対して横方向を意味している。「周方向」という概念も同じく支持エレメントの回転軸線に関連している。
【０００８】
分割型の支持エレメントの更なる好適な実施例は、形状接続ジオメトリが、互いに係合する歯列を有しており、この歯列が、支持セグメントごとに少なくとも２つの歯において、互いに係合する歯列の共通のピッチ円上にアンダカットを有していることを特徴としている。このアンダカットによって、半径方向での支持セグメントの相対運動を簡単に阻止することができる。ディスク支持体に固く結合された固定エレメントが貫通する貫通孔を個々の歯が有していてもよい。しかしながら、アンダカットは、歯に設けられた、周方向に延在する少なくとも１つの突出部によって実現されてもよい。歯列の個々の歯は、アンダカットを実現するために、ほぼ円形に形成されていてもよい。アンダカットは、有利には、歯列の全ての歯に設けられている必要はない。
【０００９】
分割型の支持エレメントの更なる好適な実施例は、支持エレメントの歯底円直径／歯先円直径が、歯ごとに少なくとも一箇所において、内側ディスク支持体／外側ディスク支持体の歯先円直径／歯底円直径よりも大きいことを特徴としている。これによって、支持セグメントの望ましくない互いに半径方向の移動を簡単に回避することができる。
【００１０】
分割型の支持エレメントの更なる好適な実施例は、支持セグメントが、それぞれ周方向に延在する少なくとも１つの波形部を有していることを特徴としている。波形部は、有利には直接、支持セグメントの製造時に形成することができる。波形部は、複数のセグメントから成る支持エレメントに関して、例えば４〜９つの波を有している。
【００１１】
分割型の支持エレメントの更なる好適な実施例は、支持セグメントが、互いに向かい合った突合せ縁部に一次元のジオメトリを有していることを特徴としている。支持セグメントの突合せ縁部は、例えば真っ直ぐな線として形成されている。個々の支持セグメントは、半径方向内側および半径方向外側で、好ましくは円弧によって画定される。支持セグメントの側方の突合せ縁部は、好ましくは半径方向線の部分区分である。
【００１２】
分割型の支持エレメントの更なる好適な実施例は、支持エレメントが、ほぼ円環ディスクの外形を有していることを特徴としている。支持セグメントを成す支持セグメントはその互いに向かい合った突合せ縁部でもって互いに接触し合うことができるものの、互いに直接結合されていない。構成に応じて、支持エレメントを成す個々の支持セグメントが、周方向で互いに間隔を置いて配置されていてもよい。
【００１３】
本発明は、さらに、前述した分割型の支持エレメントを備えた摩擦フェーシングディスク、特に湿式摩擦フェーシングディスクに関する。適切な摩擦フェーシング材料は、慣用の方法によって個々の支持セグメントにまたは複数の支持セグメントを有する分割型の支持エレメントに被着することができる。
【００１４】
本発明は、場合により、前述した分割型の支持エレメント用の支持セグメントにも関する。この支持セグメントは個別に取扱い可能である。支持セグメントは、好ましくは打抜き加工部材である。
【００１５】
本発明の更なる利点、特徴および詳細は、図面に関連して様々な実施例を詳細に説明している以下の説明から明らかである。
【図面の簡単な説明】
【００１６】
【図１】分割型の支持エレメントを実現するためにディスク支持体に取り付けられるそれぞれ２つの支持セグメントを簡単に示す図である。
【図２】分割型の支持エレメントを実現するためにディスク支持体に取り付けられるそれぞれ２つの支持セグメントを簡単に示す図である。
【図３】分割型の支持エレメントを実現するためにディスク支持体に取り付けられるそれぞれ２つの支持セグメントを簡単に示す図である。
【図４】分割型の支持エレメントを実現するためにディスク支持体に取り付けられるそれぞれ２つの支持セグメントを簡単に示す図である。
【図５】分割型の支持エレメントを実現するためにディスク支持体に取り付けられるそれぞれ２つの支持セグメントを簡単に示す図である。
【図６】分割型の支持エレメントを実現するためにディスク支持体に取り付けられるそれぞれ２つの支持セグメントを簡単に示す図である。
【図７】分割型の支持エレメントを実現するためにディスク支持体に取り付けられるそれぞれ２つの支持セグメントを簡単に示す図である。
【図８】ディスク支持体を介してのみ互いに間接的に結合された全部で６つの支持セグメントが半径方向外側に取り付けられた、内側ディスク支持体として形成されたディスク支持体を示す図である。
【発明を実施するための形態】
【００１７】
図１〜図７には、それぞれ２つの同形に形成された支持セグメント１，２が平面図で示してある。支持セグメント１は内側半径３と外側半径４とを有している。支持セグメント１は側方で２つの真っ直ぐな突合せ縁部１１０，１１１によって画定される。
【００１８】
図１において右側の突合せ縁部１１１は、支持セグメント２の、同じく真っ直ぐな線として形成された突合せ縁部１１２に向かい合っている。（図１〜図７には示していない）支持エレメントを実現するために、支持セグメント１，２が、その互いに向かい合った突合せ縁部１１１，１１２でもって互いに接触し合うように位置決めされる。
【００１９】
しかしながら、構成に応じて、支持セグメント１，２の突合せ縁部１１１，１１２は、図８に認められるように、組み立てられた状態で互いに僅かに間隔を置いて配置されていてもよい。
【００２０】
支持セグメント１は、打抜き加工部材として適切な金属薄板材料から形成されている。支持セグメント１には、全部で６つの摩擦フェーシングエレメント５〜１０が取り付けられている。これらの摩擦フェーシングエレメント５〜１０は、個々の摩擦フェーシングエレメント５〜１０の間に半径方向に延びる溝が生じるように形成されていて、支持セグメント１に取り付けられている。
【００２１】
さらに、摩擦フェーシングエレメント５〜１０は固有の構造部、特に溝付け部を備えることができる。摩擦フェーシングエレメント５〜１０同士の間の溝と、摩擦フェーシングエレメント５〜１０の任意の構造部とは、特に湿式のクラッチシステムにおける摩擦クラッチの運転中のクラッチ冷却を改善するために役立つ。
【００２２】
様々な形状接続ジオメトリ１０１〜１０７を実現するために、支持セグメント１，２に内側歯列１９；２９；３９；４９；５９；６９；７９が形成されている。この内側歯列１９；２９；３９；４９；５９；６９；７９は、アンダカットとの形状接続を実現するために、支持セグメント１に形成されたそれぞれ全部で６つの歯１１〜１６；２１〜２６；３１〜３６；４１〜４６；５１〜５６；６１〜６６；７１〜７６を有している。
【００２３】
図１に示した実施例では、歯１１〜１６が、それぞれ等脚台形の外形を有している。歯１１〜１６は、半径方向内向きに先細りにされている。支持セグメント１の端部に配置された両方の歯１１，１６は、それぞれ貫通孔１７，１８を有している。
【００２４】
貫通孔１７，１８は、支持セグメント１をディスク支持体に安定した状態に固定するために役立つ。支持セグメント１をディスク支持体に固定するために、歯１１，１６が、例えばディスク支持体の構造部に差し嵌められて、ディスク支持体から突出した固定エレメントが、各歯１１；１６の貫通孔１７，１８を通って延在するようになっている。
【００２５】
図２に示した実施例では、全ての歯２１〜２６が、それぞれ１つの貫通孔２７を有している。類似して、対応するディスク支持体が全部で６つの凸部を備えており、これらの凸部に歯が差し嵌められて、凸部が各貫通孔２７内にまたは各貫通孔２７を通って係合するようになっている。各貫通孔２７内への凸部の係合によって、アンダカットとの形状接続的な結合が提供される。
【００２６】
図３に示した実施例では、歯３１〜３６が、それぞれ斜めの縁部３８を有している。この斜めの縁部３８は、対応するディスク支持体との支持セグメント１の形状接続的な結合時のアンダカットを実現するために役立つ。全ての歯３１〜３６は同形に形成されている。これによって、支持セグメント１の製造が簡略化される。
【００２７】
図４に示した実施例では、支持セグメント１の全ての歯４１〜４６が、それぞれ円の外形を有している。この円から、各歯４１〜４６が支持セグメント１の円弧形の基体に一体に結合されているところで弓形が切り離されている。歯４１〜４６の円形の外形は、（図４には示していない）ディスク支持体との支持セグメント１の形状接続的な結合時のアンダカットを実現するために役立つ。
【００２８】
図５に示した実施例では、歯５１〜５６が、支持セグメント１にほぼＴ字形に形成されている。歯５１〜５６のＴ字形の外形の横桁部は、それぞれ半径方向内側に配置されていて、対応するディスク支持体との支持セグメント１の形状接続的な結合時のアンダカットを実現するために役立つ。
【００２９】
図６に示した実施例では、歯６１〜６６が、ほぼＬ字形に形成されている。歯６１〜６６のＬ字形の外形は、対応するディスク支持体との支持セグメント１の形状接続的な結合時のアンダカットを実現するために役立つ。Ｌ字形の外形の折り曲げられた腕部は、周方向に延在する突出部を成している。
【００３０】
図７に示した実施例では、歯７２〜７５が、図１に示した実施例における歯１２〜１５と同形に形成されている。図７に示した実施例では、歯７１，７６が、図３に示した実施例における歯３１，３６と同形に形成されている。したがって、歯７１〜７６だけが、対応するディスク支持体との支持セグメント１の形状接続的な結合時のアンダカットを実現するために役立つ。
【００３１】
図８には、支持エレメント８８を備えたディスク８０が平面図で示してある。支持エレメント８８は、全部で６つの支持セグメント８１〜８６を有している。これらの支持セグメント８１〜８６は、内側ディスク支持体として形成されたディスク支持体９０に形状接続的に結合されている。
【００３２】
内側ディスク支持体９０は、例えば、支持エレメント８８の内側歯列９９に対して相補的である外側歯列を備えた金属薄板部材として形成されている。支持エレメント８８の内側歯列９９を実現するために、支持セグメント８６が、図１〜図７における支持セグメント１に類似して、全部で６つの歯９１〜９６を有している。
【００３３】
歯９１〜９６は、等脚台形の外形を有している。しかしながら、歯９１〜９６の等脚台形は、図１に示した実施例と異なり、半径方向内向きに拡幅されている。
【００３４】
これによって、支持セグメント８１〜８６の、形状接続ジオメトリ９８を成す内側歯列９９が、ディスク支持体９０に設けられた、相補的な形状接続ジオメトリ１００を成す外側歯列に係合される際のアンダカットを実現することができる。
【符号の説明】
【００３５】
１  支持セグメント
２  支持セグメント
３  内側半径
４  外側半径
５  摩擦フェーシングエレメント
６  摩擦フェーシングエレメント
７  摩擦フェーシングエレメント
８  摩擦フェーシングエレメント
９  摩擦フェーシングエレメント
１０  摩擦フェーシングエレメント
１１  歯
１２  歯
１３  歯
１４  歯
１５  歯
１６  歯
１７  貫通孔
１８  貫通孔
１９  内側歯列
２１  歯
２２  歯
２３  歯
２４  歯
２５  歯
２６  歯
２７  貫通孔
２９  内側歯列
３１  歯
３２  歯
３３  歯
３４  歯
３５  歯
３６  歯
３８  斜めの縁部
３９  内側歯列
４１  歯
４２  歯
４３  歯
４４  歯
４５  歯
４６  歯
４９  内側歯列
５１  歯
５２  歯
５２  歯
５４  歯
５５  歯
５６  歯
５９  内側歯列
６１  歯
６２  歯
６３  歯
６４  歯
６５  歯
６６  歯
６９  内側歯列
７１  歯
７２  歯
７３  歯
７４  歯
７５  歯
７６  歯
７９  内側歯列
８０  ディスク
８１  支持セグメント
８２  支持セグメント
８３  支持セグメント
８４  支持セグメント
８５  支持セグメント
８６  支持セグメント
８８  支持エレメント
９０  内側ディスク支持体
９１  歯
９２  歯
９３  歯
９４  歯
９５  歯
９６  歯
９８  形状接続ジオメトリ
９９  内側歯列
１００  形状接続ジオメトリ
１０１  形状接続ジオメトリ
１０２  形状接続ジオメトリ
１０３  形状接続ジオメトリ
１０４  形状接続ジオメトリ
１０５  形状接続ジオメトリ
１０６  形状接続ジオメトリ
１０７  形状接続ジオメトリ
【図１】
2019529837.tif 000003
【図２】
2019529837.tif 000004
【図３】
2019529837.tif 000005
【図４】
2019529837.tif 000006
【図５】
2019529837.tif 000007
【図６】
2019529837.tif 000008
【図７】
2019529837.tif 000009
【図８】
2019529837.tif 000010
【国際調査報告】
2019529837.tif 000011
2019529837.tif 000012
2019529837.tif 000013
2019529837.tif 000014